(57)【要約】【課題】小絞り回折によるＭＴＦの劣化を比較的簡単な手段で効果的に防止して光量調節を行う。【解決手段】減光部６２ｂ及び７２ｂと遮光部６２ｃ及び７２ｃとを有するＮＤフィルタ６２及び７２をそれぞれ保持し、各減光部における透過率が変化する方向が反対でそれぞれで減光部と遮光部の配列方向が反対である一対の保持枠６０及び７０を、開口絞りの開口径が最大径から最小径になるまで開口には減光部と遮光部が重ならないように移動し、開口絞りの開口径が最小径になったときに開口を減光部と遮光部で順次覆うように移動する。【選択図】図１
2011248024.tif 000002
【特許請求の範囲】
【請求項１】
入射光が通過する開口が可変に構成されている開口絞りと、
減光部と遮光部とを有するＮＤフィルタをそれぞれ保持し、それぞれで前記減光部と前記遮光部の配列方向が反対である一対の保持部材と、
前記開口と重なる各ＮＤフィルタの位置を変更するように、かつ、各減光部の透過率の等しい部分または各遮光部が対向するように前記一対の保持部材を逆向きに移動する保持部材移動手段と、
を有し、
前記開口絞りの開口径が最大径から最小径になるまで前記開口には前記ＮＤフィルタの前記減光部および前記遮光部が重ならないように前記保持部材移動手段は前記一対の保持部材を移動し、
前記開口絞りの前記開口径が前記最小径になったときに、前記保持部材移動手段は前記開口を前記ＮＤフィルタの前記減光部と前記遮光部で順次覆うように前記一対の保持部材を移動することを特徴とする光量調整装置。
【請求項２】
前記開口の開口径を変更するように前記開口絞りを移動する開口絞り移動手段と、
前記保持部材移動手段と前記開口絞り移動手段を駆動する共通の駆動源と、
前記開口絞り移動手段の移動範囲を規制する規制手段と、
前記開口絞り移動手段に前記開口絞りの開口径が前記最小径になる方向に付勢力を加える相対付勢印加手段と、
前記開口絞り移動手段と前記保持部材移動手段とが前記開口径の最大径から最小径までの間で一体的に移動するように前記開口絞り移動手段に設けられた当接部材と、
を更に有し、
前記駆動源は前記保持部材移動手段を介して前記開口絞り移動手段を駆動し、
前記開口径が前記最大径から前記最小径になるまで前記駆動源と前記相対付勢印加手段と前記当接部材によって前記開口絞り移動手段と前記保持部材移動手段は一体的に移動し、
前記開口径が前記最小径になったときに前記開口絞り移動手段は前記規制手段によって移動が規制され、前記保持部材移動手段は前記開口を前記ＮＤフィルタの前記減光部と前記遮光部で順次覆うように前記駆動源によって移動可能に構成されていることを特徴とする請求項１に記載の光量調整装置。
【請求項３】
請求項１または２に記載の光量調整装置を有することを特徴とするレンズ鏡筒。
【請求項４】
請求項１または２に記載の光量調整装置を有することを特徴とする撮像装置。
【発明の詳細な説明】
【技術分野】
【０００１】
本発明は、開口絞りを有する光量調整装置、レンズ鏡筒および撮像装置に関する。
【背景技術】
【０００２】
特許文献１は、一枚のＮＤフィルタによって開口を覆った後で開口絞りを駆動して開口を開状態から閉状態に変位させる光量調整装置を提案している。これにより、小絞り状態でＮＤフィルタが開口を完全に覆わない状態を回避して小絞り回折によるＭＴＦの劣化を防止している。
【０００３】
特許文献２は、同様の目的で、透過率が連続的に変化する一対のグラデーションＮＤフィルタを開口絞りから離れた位置に対向して配置し、対称的に光路内に挿脱させた光量調整装置を提案している。特許文献２は、ＮＤフィルタと開口絞りを複雑なタイミングで別々の駆動装置を用いて駆動し、小絞り状態（回折許容Ｆ値）前にＮＤフィルタを停止している。
【先行技術文献】
【特許文献】
【０００４】
【特許文献１】特開２００５−２１５２９０号公報
【特許文献２】特開２００７−２９２８２８号公報
【発明の概要】
【発明が解決しようとする課題】
【０００５】
しかし、特許文献１および２は、共に、小絞りになる前にＮＤフィルタの移動を終了しており、小絞り回折によるＭＴＦの劣化を比較的簡単な手段で効果的に防止することができなかった。
【０００６】
そこで、本発明は、小絞り回折によるＭＴＦの劣化を比較的簡単な手段で効果的に防止して光量調節を行うことが可能な光量調整装置、レンズ鏡筒および撮像装置を提供することを例示的な目的とする。
【課題を解決するための手段】
【０００７】
本発明の光量調整装置は、  入射光が通過する開口が可変に構成されている開口絞りと、減光部と遮光部とを有するＮＤフィルタをそれぞれ保持し、それぞれで前記減光部と前記遮光部の配列方向が反対である一対の保持部材と、前記開口と重なる各ＮＤフィルタの位置を変更するように、かつ、各減光部の透過率の等しい部分または各遮光部が対向するように前記一対の保持部材を逆向きに移動する保持部材移動手段と、を有し、前記開口絞りの開口径が最大径から最小径になるまで前記開口には前記ＮＤフィルタの前記減光部及び前記遮光部が重ならないように前記保持部材移動手段は前記一対の保持部材を移動し、前記開口絞りの前記開口径が前記最小径になったときに、前記保持部材移動手段は前記開口を前記ＮＤフィルタの前記減光部と前記遮光部で順次覆うように前記一対の保持部材を移動することを特徴とする。
【発明の効果】
【０００８】
本発明によれば、小絞り回折によるＭＴＦの劣化を比較的簡単な手段で効果的に防止して光量調節を行うことが可能な光量調整装置、レンズ鏡筒および撮像装置を提供することができる。
【図面の簡単な説明】
【０００９】
【図１】本実施例の光量調整装置の分解斜視図である。
【図２】図１に示す一対の絞り羽根の平面図である。
【図３】図１に示す一対の保持枠の平面図である。
【図４】図１に示す光量調整装置の動作を示す平面図である。
【図５】図１に示す光量調整装置のレバー動作を詳細に示す平面図である。
【発明を実施するための形態】
【００１０】
図１は本実施例の光量調整装置の分解斜視図であり、一点鎖線で示すＯＡは光軸である。本実施例では、光軸ＯＡまたはそれに平行な軸をＹ軸、光軸方向に垂直な平面をＸＺ平面、後述する絞り羽根または保持枠が移動する方向である垂直方向（鉛直方向）をＺ方向、Ｚ方向に直交する水平方向をＸ方向に設定している。
【００１１】
本実施例の光量調整装置は開口絞りを有し、入射光量を調整する。本実施例の光量調整装置は、特許文献１の図１に示すレンズ鏡筒に、その絞り装置の代わりに適用することができ、この場合は、光量調整装置は、レンズ鏡筒のシフトユニットにビス締め固定されて不図示の撮像素子に入射する光量を調整する。そして、そのレンズ鏡筒は撮像装置に適用することができる。即ち、本実施例の入射光量を有するレンズ鏡筒や撮像装置も本発明の一側面を構成する。
【００１２】
光量調整装置は、アクチュエータ１０、地板（ケーシング）２０、一対の絞り羽根３０及び４０、絞り羽根駆動レバー５０、一対の保持枠６０及び７０、保持枠駆動レバー８０、蓋部材９０を有する。
【００１３】
本実施例のアクチュエータ１０は、円柱形に構成された永久磁石製のロータ（もしくは円柱形に構成された金属体の外周面に着磁されたロータ）を有する電磁駆動アクチェータ（モータ）である。アクチェータ１０はロータ外周面の磁極の移動変化をホール素子によって検出することにより回転位置や回転量（回転角）を制御される。
【００１４】
アクチュエータ１０は、電磁駆動アクチェータの代わりにステッピングモータを使用してもよい。その際は、初期位置を決定する機構が設けられていれば、ステップ数によって絞りの開口形状が決定されるため、ホール素子は不要となる。
【００１５】
アクチュエータ１０は、一対の絞り羽根３０及び４０を駆動する駆動源と一対の保持枠６０及び７０を駆動する駆動源を兼ねている。一つの駆動源によって一対の絞り羽根３０及び４０と一対の保持枠６０及び７０を共通に駆動することによって省スペース化とコストダウンを図ることができる。
【００１６】
アクチュエータ１０は、駆動時に回転する不図示の回転部（モータ軸に結合された金属円盤など）を有しており、この回転部は地板２０の貫通孔２６に張り出して保持枠駆動レバー８０に同軸結合された駆動用マグネット８５に磁力によって結合している。この結果、アクチュエータ１０が駆動すると駆動用マグネット８５を介して保持枠駆動レバー８０が回転する。
【００１７】
地板２０は蓋部材９０と共にケーシングを構成し、内部に、一対の絞り羽根３０及び４０、絞り羽根駆動レバー５０、一対の保持枠６０及び７０、保持枠駆動レバー８０を収納している。また、地板２０の撮影者側の面にはアクチュエータ１０が固定されているが、アクチュエータ１０の固定位置は限定されない。また、地板２０と蓋部材９０からなるケーシングにおいては、被写体側から順に一対の絞り羽根３０及び４０と一対の保持枠６０及び７０が配置されている。
【００１８】
このように、本実施例では、一対の保持枠６０及び７０を一対の絞り羽根３０及び４０に隣接して配置している。本実施例は両者を隣接して配置し、両者間にレンズなどを介在させないため、光量調整装置全体を小型な構成としている。
【００１９】
地板２０は貫通穴２１、４つの軸部２２〜２５、貫通穴２６を有し、箱形形状を有する。
【００２０】
貫通穴２１は、一対の絞り羽根３０及び４０が形成する開口に接続された円形の貫通穴である。
【００２１】
４つの軸部２２〜２５は、貫通穴２１の周りに裏面に設けられ、Ｙ方向に延びている。これらの軸部２２〜２５は、一対の絞り羽根３０及び４０のＺ方向への移動を案内する案内部材であると共に、一対の保持枠６０及び７０のＺ方向への移動を案内する案内部材である。これらの軸部２２〜２５が一対の絞り羽根３０及び４０と一対の保持枠６０及び７０を共通に案内することによって省スペース化とコストダウンを図ることができる。
【００２２】
軸部２２は、後述する保持枠６０の長孔部６８と後述する絞り羽根３０の長孔部３４と後述する蓋部材９０の係合穴９６に挿入される。この場合、軸部２２が絞り羽根３０の長孔部３４の端部（ストッパー）と接触することによって絞り羽根３０の移動を規制してもよい。
【００２３】
軸部２３は、後述する保持枠６０の長孔部６８と後述する絞り羽根３０の長孔部３３と後述する蓋部材９０の係合穴９７に挿入される。この場合、軸部２３が絞り羽根３０の長孔部３３の端部（ストッパー）と接触することによって絞り羽根３０の移動を規制してもよい。
【００２４】
軸部２４は、後述する保持枠７０の長孔部７８と後述する絞り羽根４０の長孔部４４と後述する蓋部材９０の係合穴９８に挿入される。この場合、軸部２４が絞り羽根４０の長孔部４４の端部（ストッパー）と接触することによって絞り羽根４０の移動を規制してもよい。
【００２５】
軸部２５は、後述する保持枠７０の長孔部７８と後述する絞り羽根４０の長孔部４３と後述する蓋部材９０の係合穴９９に挿入される。この場合、軸部２５が絞り羽根４０の長孔部４３の端部（ストッパー）と接触することによって絞り羽根４０の移動を規制してもよい。
【００２６】
図２は、一対の絞り羽根３０及び４０の平面図である。本実施例では絞り羽根の数は２つであるが、複数であれば足りる。複数の絞り羽根３０及び４０は入射光が通過する開口を形成し、この開口が可変に構成されている開口絞りとして機能する。
【００２７】
絞り羽根３０及び４０はそれぞれＸＺ平面に平行に配置され、Ｚ方向に同期して反対方向に移動可能に構成されたいわゆるギロチン絞りである。絞り羽根３０及び４０が光軸に垂直に移動することによって開口径を変化して光量調整をすることができる。
【００２８】
絞り羽根３０は開口（後述する図４に示す開口Ｐ）の上側を規定する上側の絞り羽根である。絞り羽根３０は、Ｊ字形状の薄板形状を有する基部３１、基部３１の下端の水平部に設けられてＸ方向に延びる長孔部３２、基部３１の垂直部に設けられてＺ方向に延びる一対の長孔部３３及び３４、基部３１の開口の上側の輪郭を規定するＵ字縁３５を有する。
【００２９】
長孔部３２には後述する絞り羽根駆動レバー５０の軸部５４が挿入される。軸部５４と長孔部３２によって絞り羽根３０は絞り羽根駆動レバー５０によって駆動可能に構成される。
【００３０】
長孔部３３には軸部２３が挿入され、長孔部３４には軸部２２が挿入されている。軸部２２と２３はＺ方向において一直線上に配置され、長孔部３３及び３４はＺ方向に一直線上に配置されている。そして、長孔部３３に軸部２３が挿入され、長孔部３４に軸部２２が挿入されているので、絞り羽根３０は軸部２２及び２３に案内された状態でＺ方向に移動することができる。
【００３１】
絞り羽根４０は開口（後述する図４に示す開口Ｐ）の下側を規定する下側の絞り羽根である。絞り羽根４０は、薄板形状を有する基部４１、基部４１の下端の水平部に設けられてＸ方向に延びる長孔部４２、基部４１の垂直部に設けられてＺ方向に延びる一対の長孔部４３及び４４、基部４１の開口の下側の輪郭を規定するＵ字縁４５を有する。
【００３２】
長孔部４２には後述する絞り羽根駆動レバー５０の軸部５３が挿入される。軸部５３と長孔部４２によって絞り羽根４０は絞り羽根駆動レバー５０によって駆動可能に構成されている。
【００３３】
長孔部４３には軸部２５が挿入され、長孔部４４には軸部２４が挿入されている。軸部２４と２５はＺ方向において一直線上に配置され、長孔部４３及び４４はＺ方向に一直線上に配置されている。そして、長孔部４３に軸部２５が挿入され、長孔部４４に軸部２４が挿入されているので、絞り羽根４０は軸部２４及び２５に案内された状態でＺ方向に移動することができる。
【００３４】
絞り羽根駆動レバー５０は、絞り羽根３０と係合する一端と絞り羽根４０と係合する他端を有し、中央貫通孔５２の周りに回転するシーソー式駆動レバーである。絞り羽根駆動レバー５０は、開口の開口径を変更するようにアクチュエータ１０からの駆動力を絞り羽根３０及び４０に伝達してこれらを移動する開口絞り移動手段である。また、絞り羽根駆動レバー５０には、後述する図５に示されるように、絞り羽根駆動レバー相対ストッパー５０ａが設けられている。絞り羽根駆動レバー相対ストッパー５０ａは、保持枠駆動レバー８０に設けられる保持枠駆動レバー相対ストッパー８０ａと係合可能に構成される。
【００３５】
なお、本実施例では、絞り羽根駆動レバー５０が複数の絞り羽根の全てに係合して各絞り羽根に直接的に駆動力を伝達しているが、絞り羽根駆動レバー５０は複数の絞り羽根と別部材を介して接続してもよい。あるいは、絞り羽根駆動レバー５０は、少なくとも一つの絞り羽根と係合し、この絞り羽根が他の絞り羽根への駆動力の伝達を直接的または間接的に行ってもよい。
【００３６】
絞り羽根駆動レバー５０は、ＸＺ平面において菱形形状を有する薄板形状の基部５１、Ｙ方向に延びる中央貫通穴５２、Ｙ方向に延びる一対の軸部５３及び５４を有する。
【００３７】
中央貫通穴５２は基部５１の中央を貫通し、中央貫通穴５２には後述する保持枠駆動レバー８０の軸部８２が挿入される。軸部８２は中央貫通孔５２内で回転することができる。
【００３８】
軸部５３は長孔部４２と後述する蓋部材９０の円弧孔９３に挿入され、軸部５４は長孔部３２と後述する蓋部材９０の円弧孔９４に挿入される。一つの絞り羽根駆動レバー５０に設けられた一対の軸部５３及び５４が一対の絞り羽根３０及び４０に係合しているので、一対の絞り羽根３０及び４０は絞り羽根駆動レバー５０によって同期してＺ方向に逆向きに移動する。
【００３９】
軸部５３と５４は中央貫通穴５２に関して１８０°対称に形成されており、一対の円弧孔９３及び９４の中心角度は等しい。このため、軸部５３が円弧孔９３の一端にある時に軸部５４は円弧孔９４の他端に位置し、軸部５３が円弧孔９３の他端にある時に軸部５４は円弧孔９４の一端に位置する。
【００４０】
絞り羽根駆動レバー５０が回転可能な角度範囲は、軸部５３及び５４が円弧孔９３及び９４内で移動可能な角度範囲であるため、円弧孔９３及び９４は絞り羽根駆動レバー５０の移動範囲を規制する規制手段として機能する。
【００４１】
但し、かかる規制手段は、これに限定されない。絞り羽根駆動レバー５０が回転可能な角度範囲は、軸部２２が長孔部３４内で移動可能な範囲、軸部２３が長孔部３３内で移動可能な範囲、軸部２４が長孔部４４内で移動可能な範囲、軸部２５が長孔部４３内で移動可能な範囲にそれぞれ対応している。このため、これらも規制手段として機能し得る。もちろん、絞り羽根駆動レバー５０の回転角度規制は軸部５３及び５４と円弧孔９３及び９４の係合のみなどいずれか一方で行ってもよい。
【００４２】
また、絞り羽根駆動レバー５０は、特許文献１のメカバネと同様のバネ部材（第１バネ部材）５５と係合している。バネ部材５５は絞り羽根駆動レバー５０を絞り羽根３０及び４０（のＵ字縁３５及び４５）が近付くように（開口が閉じるＡ方向に）付勢している。
【００４３】
例えば、バネ部材５５は圧縮バネであり、一端が絞り羽根駆動レバー５０の中央貫通穴５２と軸部５４の間と係合し、他端が地板２０と係合してもよい。あるいは、バネ部材５５は引張バネであり、一端が絞り羽根駆動レバー５０の中央貫通穴５２と軸部５３の間と係合し、他端が地板２０と係合してもよい。後述するように、バネ部材５５（相対付勢印加手段）により付勢された絞り駆動レバー５０の絞り羽根駆動レバー相対ストッパー５０ａは、保持枠駆動レバー８０に設けられる保持枠駆動レバー相対ストッパー８０ａに当接されている。したがって、絞り羽根３０及び４０の開口が開放状態から小絞り状態の間は絞り駆動レバー５０と保持枠駆動レバー８０とは一体的に移動する。
【００４４】
図３は、一対の保持枠６０及び７０の平面図である。保持枠６０はＮＤフィルタ６２を保持し、保持枠７０はＮＤフィルタ７２を保持する。本実施例では保持枠の数は２つであるが、特許文献１のように一つではないために、開口にＮＤフィルタ６２及び７２を２方向から挿入することができる。なお、保持枠の数は２以上（複数）であれば光量調整バランスや濃度段差によるＭＴＦ劣化を従来よりも改善することができる。
【００４５】
保持枠６０及び７０はＸＺ平面に平行に配置され、同期してＺ方向に逆向きに同じ量だけ移動可能に構成されている。保持枠６０及び７０が光軸に垂直に移動することによって開口に配置されるＮＤフィルタの位置を変化させることができ、これによって光量を調整することができる。
【００４６】
保持枠６０は開口の上側の光量を調整し、Ｊ字形状の薄板形状を有する基部６１、基部６１の上部に形成されたＮＤフィルタ６２、基部６１の下端の水平部に設けられてＸ方向に延びる長孔部６３、基部６１の垂直部に設けられてＺ方向に延びる長孔部６８を有する。このように、保持枠６０はＮＤフィルタ６２を保持する保持部材である。
【００４７】
ＮＤフィルタ（減光フィルタ）６２は、Ｚ方向に沿って下から順番に、光透過率がほぼ１００％である素通し部６２ａ、透過率を徐々に変化させている減光部６２ｂ、光透過率が０％である遮光部６２ｃを有している。なお、このＮＤフィルタ６２の構成は単なる一例であり、素通し部がなくてもよいし、単一濃度の減光部が配置されてもよい。
【００４８】
素通し部６２ａは、長方形と二等辺三角形とを組み合わせた形状を有し、二等辺三角形の頂点が下側に、即ち、下に凸になるように配置されている。素通し部６２ａは、その一部が、絞り開口の開口径が最大である場合に開口内に突出するように配置されている。
【００４９】
減光部６２ｂは、連続的に膜厚が徐々に変化するように形成され、これによって透過率が連続的に変化するグラデーションＮＤフィルタ部である。減光部６２ｂは素通し部６２ａとの境界において膜厚が最も小さく（ゼロまたは光透過率がほぼ１００％に対応する膜厚であり）、遮光部６２ｃとの境界において膜厚が最も大きい（即ち、光透過率がゼロに対応する膜厚である）。
【００５０】
遮光部６２ｃは、ほぼ矩形形状を有する。
【００５１】
長孔部６３には後述する保持枠駆動レバー８０の軸部８３が挿入される。軸部８３と長孔部６３によって保持枠６０は保持枠駆動レバー８０によって駆動可能に構成されている。
【００５２】
長孔部６８には軸部２２及び２３が挿入されている。軸部２２と２３はＺ方向において一直線上に配置され、長孔部６８はＺ方向に延びているので、保持枠６０は軸部２２及び２３に案内された状態でＺ方向に移動することができる。
【００５３】
保持枠７０は開口の下側の光量を調整し、薄板形状を有する基部７１、基部７１の中部に形成されたＮＤフィルタ７２、基部７１の下端の水平部に設けられてＸ方向に延びる長孔部７３、基部７１の垂直部に設けられてＺ方向に延びる長孔部７８を有する。このように、保持枠７０はＮＤフィルタ７２を保持する保持部材である。
【００５４】
ＮＤフィルタ（減光フィルタ）７２は、Ｚ方向に沿って上から順番に、光透過率がほぼ１００％である素通し部７２ａ、透過率を徐々に変化させている減光部７２ｂ、光透過率が０％である遮光部７２ｃを有している。このように、ＮＤフィルタ７２における素通し部７２ａ、減光部７２ｂ、遮光部７２ｃの配列方向はＮＤフィルタ６２と反対である。なお、このＮＤフィルタ７２の構成は単なる一例であり、素通し部がなくてもよいし、単一濃度の減光部が配置されてもよい。
【００５５】
素通し部７２ａは、長方形と二等辺三角形とを組み合わせた形状を有し、二等辺三角形の頂点が上側に、即ち、上に凸になるように配置されている。素通し部７２ａは、その一部が、絞り開口の開口径が最大である場合に開口内に突出するように配置されている。
【００５６】
減光部７２ｂは、連続的に膜厚が徐々に変化するように形成され、これによって透過率が連続的に変化するグラデーションＮＤフィルタ部である。減光部７２ｂは素通し部７２ａとの境界において膜厚が最も小さく（ゼロまたは光透過率がほぼ１００％に対応する膜厚であり）、遮光部７２ｃとの境界において膜厚が最も大きい（即ち、光透過率がゼロに対応する膜厚である）。なお、減光部７２ｂにおいて透過率が変化する方向は減光部６２ｂのそれとは反対であり、この結果、後述するように小絞り回折を防ぐことができる
遮光部７２ｃは、ほぼ矩形形状を有する。
【００５７】
素通し部６２ａと７２ａ、減光部６２ｂと７２ｂ、遮光部６２ｃと７２ｃは互いに対向するように配置されている。素通し部６２ａと７２ａは同一形状を有し、その絞り開口に突出している三角形部分の頂点６２ａ１および７２ａ１は、後述する図４（ａ）に示すように、絞り開口の中心Ｏと共にＺ方向に一直線に並んでいる。また、素通し部６２ａと７２ａの絞り開口に突出している三角形部分の頂点と絞り開口の中心ＯとのＺ方向に沿った距離は等しい。
【００５８】
減光部６２ｂと７２ｂのＺ方向の長さも等しく、透過率が変化する変化方向は互いに反対に配置される。
【００５９】
遮光部６２ｃと７２ｃのＺ方向の最大長さも等しい。
【００６０】
長孔部７３には後述する保持枠駆動レバー８０の軸部８４が挿入される。軸部８４と長孔部７３によって保持枠７０は保持枠駆動レバー８０によって駆動可能に構成されている。
【００６１】
長孔部７８には軸部２４及び２５が挿入されている。軸部２４と２５はＺ方向において一直線上に配置され、長孔部７８はＺ方向に延びているので、保持枠７０は軸部２４及び２５に案内された状態でＺ方向に移動することができる。
【００６２】
保持枠６０と７０は同じ駆動量だけ逆向きにＺ方向に沿って保持枠駆動レバー８０によって駆動され、光軸上では素通し部６２ａと７２ａ、減光部６２ｂと７２ｂ、遮光部６２ｃと７２ｃが同じタイミングで配置される。
【００６３】
保持枠駆動レバー８０は、保持枠６０と係合する一端と保持枠７０と係合する他端を有し、軸８２の周りに回転するシーソー式駆動レバーである。保持枠駆動レバー８０は、開口と重なるＮＤフィルタ６２及び７２の位置を変更するようにアクチュエータ１０からの駆動力を保持枠６０及び７０に伝達してこれらを同時に（同期させて）、かつ、Ｚ方向の逆向きに移動する保持部材移動手段である。
【００６４】
なお、保持枠６０及び７０を移動する方向はＺ方向ではなくＸ方向など他の方向でもよいが、絞り羽根３０及び４０の移動方向と一致させることによって光量調整装置を小型にすることができる。
【００６５】
保持枠駆動レバー８０は、ＮＤフィルタ６２及び７２の素通り部６２ａと７２ａが対向するように、または、減光部６２ｂと７２ｂが対向するように、若しくは、遮光部６２ｃと７２ｃが対向するように保持枠６０及び７０を移動する。本実施例では、対向する遮光部６２ｂと７２ｂは透過率が等しい部分である。
【００６６】
なお、本実施例では、保持枠駆動レバー８０が複数の保持枠の全てに係合して各保持枠に直接的に駆動力を伝達しているが、保持枠駆動レバー８０は複数の保持枠と別部材を介して接続してもよい。あるいは、保持枠駆動レバー８０は、少なくとも一つの保持枠と係合し、この保持枠が他の保持枠への駆動力の伝達を直接的または間接的に行ってもよい。
【００６７】
更に、保持枠駆動レバー８０は、絞り羽根駆動レバー５０と同軸に配置されて回転自在に構成され、また、絞り羽根駆動レバー５０を回転移動するように構成されている。
【００６８】
保持枠駆動レバー８０は、ＸＺ平面において菱形形状を有する薄板形状の基部８１、Ｙ方向に延びる軸部８２〜８４を有する。
【００６９】
絞り羽根駆動レバー５０はバネ部材５５により付勢され、絞り羽根駆動レバー相対ストッパー５０ａが保持枠駆動レバー８０の保持枠駆動レバー相対ストッパー８０ａに当接した状態となっている。したがって、保持枠駆動レバー８０がアクチュエータ１０によって回転されると絞り羽根駆動レバー５０と保持枠駆動レバー８０とは一体的に回転することができる。しかし、絞り羽根駆動レバー５０が回転可能な角度よりも保持枠駆動レバー８０が回転可能な角度の方が大きく設定されており、保持枠駆動レバー８０は絞り羽根駆動レバー５０のＡ方向への回転が停止した後でも更にＡ方向に回転することができる。
【００７０】
保持枠駆動レバー８０が回転可能な角度は、軸部２２〜２５と長孔部６８及び７８の端部との係合によって規制することができる。保持枠駆動レバー８０は、絞り羽根駆動レバー５０と共に開口径が最大となる位置から小絞り径になる位置となるまで回転することができる。また、保持枠駆動レバー８０は、開口径が小絞り径になった後では開口上にあるＮＤフィルタ６２及び７２の領域が素通り部６２ａ及び７２ａから遮光部６２ｃ及び７２ｃに移行するまで回転することができる。
【００７１】
また、保持枠駆動レバー８０は、駆動用マグネット（永久磁石）８５と同軸に一体的に固定されている。駆動用マグネット８５はアクチュエータ１０の不図示の回転部（金属円盤など）と磁力によって結合されている。この結果、アクチュエータ１０が駆動すると駆動用マグネット８５を介して保持枠駆動レバー８０が回転する。
【００７２】
駆動用マグネット８５にはその中心軸に沿って軸部８２が固定されており、軸部８２は基部８１を貫通している。基部８１は軸部８２と共に回転する。軸部８２は、基部８１の被写体側の面から突出して絞り羽根駆動レバー５０の中央貫通孔５２と蓋部材９０の係合穴９５に挿入される。
【００７３】
一方、軸部８３及び８４は、基部８１の撮影者側の面に配置され、軸部８３は長孔部６３に挿入され、軸部８４は長孔部７３に挿入される。軸部８３と８４は軸部８２に関して１８０°対称に形成されている。この結果、アクチュエータ１０が駆動して保持枠駆動レバー８０が回転すると軸部８３及び８４と長孔部６３及び７３の係合を介して保持枠６０及び７０がＺ方向に移動する。
【００７４】
また、保持枠駆動レバー８０は、特許文献１のメカバネと同様のバネ部材（第２バネ部材）８７と係合している。バネ部材８７は保持枠駆動レバー８０を保持枠６０及び７０（のＵ字縁３５及び４５）が近付くようにＡ方向に付勢している。例えば、バネ部材８７は圧縮バネであり、一端が保持枠駆動レバー８０の軸部８２と軸部８３の間と係合し、他端が地板２０と係合してもよい。あるいは、バネ部材８７は引張バネであり、一端が保持枠駆動レバー８０の軸部８２と軸部８４の間と係合し、他端が地板２０と係合してもよい。本実施例では、バネ部材８７の付勢力がバネ部材５５の付勢力よりも大きくなるように設定されている。
【００７５】
蓋部材９０は地板２０に固定されて中空の筺体を形成する。
【００７６】
蓋部材９０は、ＸＺ平面において凸形状を有する薄板形状の基部９１、貫通孔２１に対応する貫通孔９２、一対の円弧孔９３及び９４、貫通孔５２に対応する係合孔９５、貫通孔９２の周りに設けられた４つの係合穴９６〜９９を有する。
【００７７】
貫通穴９２は、一対の絞り羽根３０及び４０が形成する開口に接続された円形の貫通穴である。円弧孔９３には軸部５３が挿入され、円弧孔９４には軸部５４が挿入される。一対の円弧孔９３及び９４のそれぞれの両端部は軸部５３及び５４のストッパーとして機能し、絞り羽根駆動レバー５０の回転角度を規制している。係合孔９５には軸部８２が回転可能に挿入される。係合穴９６〜９９には軸部２２〜２５がそれぞれ挿入される。
【００７８】
図４は、アクチュエータ１０が回転した場合の光量調整装置の動作を説明するための平面図、図５は絞り羽根駆動レバー５０と保持枠駆動レバー８０の動作を詳細に説明するための平面図である。アクチュエータ１０が回転することによって絞り羽根３０及び４０によって開口Ｐの開口径は最大径から小絞り径（最小径）に移行する。また、アクチュエータ１０が回転することによって保持枠６０及び７０のＮＤフィルタ６２及び７２が開口Ｐに位置する部分が素通り部６２ａ及び７２ａから減光部６２ｂ及び７２ｂを経て遮光部６２ｃ及び７２ｃに移行する。
【００７９】
図４（ａ）は開口Ｐが最大Ｆ値を有する開放状態を示しており、この時、絞り羽根駆動レバー５０は絞り羽根３０及び４０（のＵ字縁３５及び４５）が最も離れるように（開口Ｐが最大になるように）アクチュエータ１０によって駆動される。図４（ａ）において矢印Ａ方向はバネ部材５５が付勢している小絞り方向である。
【００８０】
この時、長孔部３４及び３３の下端に軸部２２及び２３が接触し、長孔部４４及び４３の上端に軸部２４及び２５が接触しており、この接触によって絞り羽根駆動レバー５０はこれ以上開放側（Ａ方向と反対側）に回転移動しないように規制されている。
【００８１】
また、保持枠６０と７０の素通り部６２ａ及び７２ａの一部は開口Ｐに突出しており、突出量は開口Ｐが小絞り径になった場合にこれを覆うのに十分な量である。なお、保持枠６０と７０は図４（ａ）に示す状態から更に互いに離れる方向に移動してもよいし、保持枠駆動レバー８０はＡ方向と反対方向への回転が規制されていてもよい。
【００８２】
保持枠駆動レバー８０の回転規制をする場合には図４（ａ）に示す状態で軸部２２〜２５と長孔部６８及び７８の端部が接触するように長孔部６８及び７８の長さを設定すればよい。また、保持枠６０と７０はが４（ａ）に示す状態から更に互いに離れる方向に移動する場合であっても絞り羽根駆動レバー５０はこれ以上Ａ方向と反対側には回転することができないようになっている。
【００８３】
図５（ａ）は開口Ｐが最大Ｆ値を有する開放状態の際の絞り羽根駆動レバー５０及び保持枠駆動レバー８０の状態を示している。
【００８４】
保持枠駆動レバー８０は駆動用マグネット８５と同軸に一体的に固定されているため、開放状態位置で電気的に保持されている。
【００８５】
一方、絞り羽根駆動レバー５０は保持枠駆動レバー８０と同軸に回転可能に指示されているため、バネ部材５５によりＡ方向に付勢されるが、絞り羽根駆動レバー相対ストッパー５０ａと保持枠駆動レバー相対ストッパー８０ａが当接した状態で保持される。
【００８６】
図５（ａ）に示す、絞り羽根駆動レバー相対ストッパー５０ａ（当接部材）と保持枠駆動レバー相対ストッパー８０ａの当接状態における絞り羽根駆動レバー５０の位置が開放状態の位置となる。
【００８７】
図４（ｂ）〜（ｄ）は開口Ｐが小絞り径である（回折限界Ｆ値である）小絞り状態を、図５（ｂ）〜（ｄ）は図４（ｂ）〜（ｄ）の小絞り径位置での絞り羽根駆動レバー５０に対する保持枠駆動レバー８０の動作の詳細を示している。
【００８８】
図４（ａ）から図４（ｂ）及び図５（ａ）から図５（ｂ）に示されるように、絞り羽根駆動レバー５０は絞り羽根３０及び４０（のＵ字縁３５及び４５）が最も近づくように、保持枠駆動レバー８０と一体的にアクチュエータ１０によって駆動される。
【００８９】
図４（ａ）に示すように、開口Ｐの開口径が最大径の状態からアクチュエータ１０が回転すると、長孔部３４及び３３の下端に位置する軸部２２及び２３が上端に移動し、長孔部４４及び４３の上端に位置する軸部２４及び２５が下端に移動する。そして、図４（ｂ）に示すように、開口Ｐは小絞り径となる。小絞り径は光学性能を満足する回折限界の開口径である。
【００９０】
この時、軸部５３及び５４が円弧孔９３及び９４の端部によって係止され、また、軸部２２〜２５が長孔部３４、３３、４４及び４３の端部に接触するので、図４（ｂ）に示す位置から小絞り側に絞り羽根駆動レバー５０が移動することが規制される。
【００９１】
図４（ａ）に示す開口Ｐの開口径が最大径の状態から図４（ｂ）に示す開口Ｐの開口径が最小径の状態になるまで、図５（ａ）〜図５（ｂ）に示すように絞り羽根駆動レバー５０と保持枠駆動レバー８０は当接した状態で一体的に回転移動する。この結果、開口Ｐの開口径が変化して光量が調整される。
【００９２】
また、図４（ａ）に示す状態から図４（ｂ）に示す状態になるまで、保持枠駆動レバー８０は開口ＰにはＮＤフィルタ６２及び７２の減光部６２ｂ及び７２ｂと遮光部６２ｃ及び７２ｃが重ならないように保持枠６０及び７０を移動する。
【００９３】
開口Ｐの開口径が小絞り径になると、絞り羽根駆動レバー５０は軸部５３及び５４と長孔部９３及び９４との係合によって回転移動が規制されてＡ方向には更に回転することができないために開口Ｐの開口径は小絞り状態のままとなる（図５（ｂ）〜（ｄ））。
【００９４】
一方、保持枠駆動レバー８０は開口Ｐを減光部６２ｂ及び７２ｂと遮光部６２ｃ及び７２ｃで順次覆うようにアクチュエータ１０によって保持枠６０及び７０を移動する。このため、保持枠駆動レバー８０はＡ方向に更に回転することができる（図５（ｃ）〜（ｄ））。
【００９５】
この結果、図４（ｂ）に示す開口Ｐの小絞り状態から最小Ｔナンバーまで減光部６２ｂ及び７２ｂによる光量調整が行われて図４（ｃ）に示す状態となる。図４（ｃ）では小絞り状態Ｐの開口は減光部６２ｂ及び７２ｂによって覆われており、光量は図４（ｂ）よりも減少している。
【００９６】
本実施例によれば、開口が最大径から最小径に変位する間にＮＤフィルタの減光部と遮光部は開口に重ならないのでこれらが開口の一部を覆って小絞りのような効果を与えて画質を劣化するという問題を防止することができる。本実施例によれば、特許文献２のような制御が不要であり、小絞り回折の影響を簡単な手段で効果的に防止することができる。
【００９７】
最小Ｔナンバーに到達した後も保持枠駆動レバー８０はＡ方向に更に回転可能である。この結果、図４（ｄ）に示すように、小絞り状態Ｐの開口は遮光部６２ｃ及び７２ｃによって覆われる。
【００９８】
本実施例の光量調整装置によれば、図４（ａ）に示す状態から図４（ｂ）に示す状態まで、絞り羽根駆動レバー５０と保持枠駆動レバー８０を一体的に回転駆動することによって絞り羽根３０及び４０による光量調整（開口径の変更）を行なう。次いで、開口Ｐが小絞り径（最小径）になった後で、絞り羽根駆動レバー５０の回転を規制した状態で保持枠駆動レバー８０の回転を継続し、小絞り状態の開口Ｐに対してＮＤフィルタ６２及び７２によって光量調整を行う。一対のＮＤフィルタ６２及び７２が２方向からの進入及び退避するので、特許文献１のような一方向からのＮＤフィルタの挿脱構成に比べて光量調整バランスや濃度段差によるＭＴＦ劣化を改善することができる。
【００９９】
これにより、小絞り回折によるＭＴＦの劣化を抑えることができる。また、一つのアクチェータ１０が開放から全閉までの光量を調整するために、コストダウンと省スペース化を図ることができる。更に、ＮＤフィルタ６２及び７２に遮光部６２ｃ及び７２ｃを設けて小絞り径を遮光部６２ｃ及び７２ｃで完全に覆うことによって、絞り開口を通過する光線を遮光することができ、外光による撮像素子の焼付けを防止することができる。
【産業上の利用可能性】
【０１００】
光量調整装置は撮像装置のレンズ鏡筒の絞り装置の用途に適用することができる。
【符号の説明】
【０１０１】
Ｐ              開口
１０            アクチュエータ（駆動源）
２０            地板３０、４０      絞り羽根（開口絞り）
５０            絞り羽根駆動レバー
５０ａ          絞り羽根駆動レバー相対ストッパー
６０、７０      保持枠（保持部材）
６２、７２      ＮＤフィルタ
６２ｂ、７２ｂ  減光部
６２ｃ、７２ｃ  遮光部
８０            保持枠駆動レバー（保持部材移動手段）
８０ａ         保持枠駆動レバー相対ストッパー
【図５】
2011248024.tif 000003
【図１】
2011248024.tif 000004
【図２】
2011248024.tif 000005
【図３】
2011248024.tif 000006
【図４】
2011248024.tif 000007